【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
通信装置であって、
前記通信装置または他の通信装置が提供するサービスの種類に応じて選択される方式により、公開鍵を前記他の通信装置と共有する鍵共有手段と、
前記鍵共有手段により共有された前記公開鍵を用いて、無線通信を行うための通信パラメータを前記他の通信装置と共有するパラメータ共有手段と、
前記パラメータ共有手段により共有された前記通信パラメータを用いて無線通信を行う前記他の通信装置と、前記通信装置または前記他の通信装置が提供する前記サービスを実行する実行手段と、を有することを特徴とする通信装置。
【請求項２】
前記鍵共有手段によって前記公開鍵を共有する前記方式を前記サービスの種類に応じて選択する選択手段をさらに有することを特徴とする請求項１に記載の通信装置。
【請求項３】
前記選択手段によって選択された前記方式を前記他の通信装置に通知する通知手段をさらに有し、
前記鍵共有手段は、前記通知手段による通知に対する前記他の通信装置の応答に含まれる通信方式が、前記選択手段によって選択された前記方式に対応することに応じて、前記選択手段によって選択された前記方式により前記公開鍵を前記他の通信装置と共有することを特徴とする請求項２に記載の通信装置。
【請求項４】
前記通知手段による通知に対して前記他の通信装置から応答がない場合、又は、前記他の通信装置から前記選択手段によって選択された前記方式を含まない応答が返された場合、前記鍵共有手段による前記公開鍵の共有は行われないことを特徴とする請求項３に記載の通信装置。
【請求項５】
前記選択手段は、前記サービスの種類に応じて、前記方式として、無線ＬＡＮ、Ｂｌｕｅｔｏｏｔｈ、近距離無線通信、又は、コード情報の表示及び撮影に基づく通信を選択することを特徴とする請求項２から４のいずれか１項に記載の通信装置。
【請求項６】
前記選択手段は、前記サービスが、前記他の通信装置を含む複数の撮像機器を操作することができるサービスであることに基づいて、前記方式として前記無線ＬＡＮを選択することを特徴とする請求項５に記載の通信装置。
【請求項７】
前記選択手段は、前記サービスが、前記通信装置が保持する画像の閲覧や取得を、前記他の通信装置において行うことができるサービスであることに基づいて、前記方式として前記Ｂｌｕｅｔｏｏｔｈ、前記近距離無線通信、または前記コード情報の表示及び撮影に基づく通信の何れか１つを選択することを特徴とする請求項５または６に記載の通信装置。
【請求項８】
前記サービスは、前記通信装置が提供するサービスであることを特徴とする請求項２から７の何れか１項に記載の通信装置。
【請求項９】
前記鍵共有手段は、前記他の通信装置の公開鍵を、前記方式により前記他の通信装置から提供されることを特徴とする請求項２から８の何れか１項に記載の通信装置。
【請求項１０】
前記公開鍵に基づいて共有鍵を生成する生成手段をさらに有し、
前記パラメータ共有手段は、前記生成手段によって生成された前記共有鍵によって暗号化された前記通信パラメータを、前記他の通信装置へ送信することを特徴とする請求項２から９のいずれか１項に記載の通信装置。
【請求項１１】
前記他の通信装置において前記サービスに種類に応じて選択された前記方式を含む通知を受信する受信手段をさらに有することを特徴とする請求項１に記載の通信装置。
【請求項１２】
前記受信手段によって受信した前記通知に含まれる前記方式に、前記通信装置が対応可能ではない場合、ユーザに対する通知を表示する表示制御手段をさらに有することを特徴とする請求項１１に記載の通信装置。
【請求項１３】
前記受信手段によって受信した前記通知に含まれる前記方式に、前記通信装置が対応可能な場合、前記方式を含む応答を前記他の通信装置に送信することを特徴とする請求項１１または１２に記載の通信装置。
【請求項１４】
前記方式は、無線ＬＡＮ、Ｂｌｕｅｔｏｏｔｈ、近距離無線通信、又は、コード情報の表示及び撮影に基づく通信の何れか１つの通信方式であることを特徴とする請求項１１から１３の何れか１項に記載の通信装置。
【請求項１５】
前記鍵共有手段は、前記通信装置の公開鍵を、前記方式により前記他の通信装置へ提供することを特徴とする請求項１１から１４の何れか１項に記載の通信装置。
【請求項１６】
前記パラメータ共有手段は、前記公開鍵に基づいて生成された共有鍵によって暗号化された前記通信パラメータを前記他の通信装置から受信することを特徴とする請求項１１から１５のいずれか１項に記載の通信装置。
【請求項１７】
前記通信パラメータを用いた前記無線通信は、無線ＬＡＮによる通信、又は、Ｂｌｕｅｔｏｏｔｈによる通信であることを特徴とする請求項１から１６のいずれか１項に記載の通信装置。
【請求項１８】
通信装置の通信方法であって、
前記通信装置または他の通信装置が提供するサービスの種類に応じて選択される方式により、公開鍵を前記他の通信装置と共有する鍵共有工程と、
前記鍵共有工程において共有された前記公開鍵を用いて、無線通信を行うための通信パラメータを前記他の通信装置と共有するパラメータ共有工程と、
前記パラメータ共有工程において共有された前記通信パラメータを用いて無線通信を行う前記他の通信装置と、前記通信装置または前記他の通信装置が提供する前記サービスを実行する実行工程と、を有することを特徴とする通信方法。
【請求項１９】
コンピュータを請求項１から１７のいずれか１項に記載の通信装置が備える各手段として機能させるためのコンピュータプログラム。
【手続補正２】
【補正対象書類名】明細書
【補正対象項目名】０００８
【補正方法】変更
【補正の内容】
【０００８】
上記目的を達成するため、本発明による通信装置は、前記通信装置または他の通信装置が提供するサービスの種類に応じて選択される方式により、公開鍵を前記他の通信装置と共有する鍵共有手段と、前記鍵共有手段により共有された前記公開鍵を用いて、無線通信を行うための通信パラメータを前記他の通信装置と共有するパラメータ共有手段と、前記パラメータ共有手段により共有された前記通信パラメータを用いて無線通信を行う前記他の通信装置と、前記通信装置または前記他の通信装置が提供する前記サービスを実行する実行手段と、を有する。
【手続補正３】
【補正対象書類名】明細書
【補正対象項目名】０００７
【補正方法】変更
【補正の内容】
【０００７】
そこで、本発明は、所望の装置間で適切な方式により公開鍵を共有し、該公開鍵を用いて共有された通信パラメータを用いて通信する他の通信装置と、サービスを実行することを可能にする技術を提供することを目的とする。
【手続補正４】
【補正対象書類名】明細書
【補正対象項目名】０００９
【補正方法】変更
【補正の内容】
【０００９】
本発明によれば、所望の装置間で適切な方式により公開鍵を共有し、該公開鍵を用いて共有された通信パラメータを用いて通信する他の通信装置と、サービスを実行することを可能にする技術を提供することができる。
【手続補正５】
【補正対象書類名】明細書
【補正対象項目名】発明の名称
【補正方法】変更
【補正の内容】
【発明の名称】通信装置及び通信方法、コンピュータプログラム
【手続補正６】
【補正対象書類名】明細書
【補正対象項目名】０００１
【補正方法】変更
【補正の内容】
【０００１】
本発明は、通信装置及び通信方法、コンピュータプログラムに関する。